【手続補正書】
【提出日】令和2年4月13日(2020.4.13)
【手続補正１】
【補正対象書類名】明細書
【補正対象項目名】００７２
【補正方法】変更
【補正の内容】
【００７２】
あるいは、イヤホンコードの全長が過度に長い場合に、図６（ｂ）に示すように、イヤホン使用時、第２のコード保持部３３を利用して、例えばコード５１の適当な位置に第２のコード保持部３３を保持させることにより、使用時のイヤホンコードの実効的な長さを邪魔にならない使いやすい長さに調整することができる。イヤホン使用時に第２のコード保持部３３を利用して実効的な長さ調整を行う態様は図示のものに限らない。例えば、余分なイヤホンコード部分をループにした交差部分を第２のコード保持部３３を保持させるようにすれば、一層の長さ調整が行えるとともに、ループのサイズを小さくすることができる。あるいは、イヤホンコード絡まり防止具１００からプラグ部５２までのコード５１の部分と、イヤホンコード絡まり防止具１００から分岐部までのコード５１の部分の２本を束ねた状態で第２のコード保持部３３に保持させるようにすることも可能である。
【手続補正２】
【補正対象書類名】明細書
【補正対象項目名】０１４０
【補正方法】変更
【補正の内容】
【０１４０】
このような構成は上述した実施形態、および第１〜第５の変形例と共通している。ただし、第１のコード保持部６３２のほぼＵ字状の溝の直線部の外壁は第４の変形例と同様に不完全であり、その中間壁６３４ａが長手方向に延出した構成を有している。すなわち、第６の変形例におけるコード中間部分収容溝６３４は図１（ｂ）に示したような厳密な意味での溝の構成ではないが、実際上、中間壁６３４ａとケース部材６１０の内壁とによりほぼＵ字状の溝が構成される。
【手続補正３】
【補正対象書類名】明細書
【補正対象項目名】０１４１
【補正方法】変更
【補正の内容】
【０１４１】
第６の変形例のイヤホンコード絡まり防止具１００ｆは、図１３に示した第４の変形例をさらに変形したものである。すなわち、第４の変形例のイヤホンコード絡まり防止具１００ｄに対して明示的な脱落防止手段の機能を追加したものである。すなわち、芯部材６３０の側部表面（平板状部である中間壁６３４ａのコード中間部分収容溝６３４が設けられていない側の細長い外周面）上に、その長手方向に沿ってスライド溝６３８（６３８ｂ、６３８ｃの総称）が設けられる。この溝部分６３８ｃは機能的には、上述した第１の変形例のクランク状溝１３８の第３の溝部分１３８ｃに対応する。クランク状溝１３８の第２の溝部分１３８ｂに対応する要素として、第６の変形例ではスライド溝６３８の溝部分６３８ｂが設けられている。溝部分６３８ｂは溝部分６３８ｃの端部（第２のコード保持部６３３側）において溝部分６３８ｃの側部（横方向）に設けられた凹部（溝部の側壁が欠落した部分）により構成される。第６の変形例において第１の溝部分１３８ａに対応する要素は存在しない。
【手続補正４】
【補正対象書類名】明細書
【補正対象項目名】０１５０
【補正方法】変更
【補正の内容】
【０１５０】
なお、溝部分６３８ｃの端部においてその横方向のいずれの側に溝部分６３８ｂを設けるかは第２のコード保持部６３３のコード束用横溝６３５と切り欠き６１２との関係による。すなわち、突起部６１８が溝部分６３８ｃに係合した状態から溝部分６３８ｂを経由して溝部分６３８ｃから離脱する際に、第２の位置（閉位置）においてケース部材６１０が芯部材６３０に対して回転しなければならないが、この回転が第２のコード保持部６３３に保持されたコード端部分（コード束）を解放する側に行われる必要がある。このような観点から、図１８に示した例では、溝部分６３８ｃを第１のコード保持部６３２側から第２のコード保持部６３３へ向かって見た場合に、左側に設けられる。
【手続補正５】
【補正対象書類名】明細書
【補正対象項目名】０１５９
【補正方法】変更
【補正の内容】
【０１５９】
１０：ケース部材  １１：筒状体  １２：切り欠き  １３：スリット部  １４：開口  １５：爪状突起  １６：開口  １７：環状縁部  １８：突起部  １９：円弧状部  ３０：芯部材  ３１：芯状体  ３２：第１のコード保持部  ３３：第２のコード保持部  ３４：コード中間部分収容溝  ３４ａ：中間壁  ３５：コード束用横溝  ３６：コード束用縦溝  ３７：操作用突出部  ３８：爪用スライド溝  ３８ａ：爪用スライド溝の一端  ３９：凹部  ５０：イヤホン  ５１：イヤホンコード（コード）  ５２：プラグ部  ５３：分岐コード  ５４：分岐コード  ５６：イヤホンヘッド部  ５７：イヤホンヘッド部  １００：イヤホンコード絡まり防止具  １００ａ：イヤホンコード絡まり防止具  １００ｂ：イヤホンコード絡まり防止具  １００ｃ：イヤホンコード絡まり防止具  １００ｄ：イヤホンコード絡まり防止具  １０１：前立て  １０２：ポケット  １１０：ケース部材  １１１：筒状体  １１２：切り欠き  １１３：スリット部  １１４：開口  １１６：開口  １１８：突起部  １１９：台座部  １３０：芯部材  １３１：芯状体  １３２：第１のコード保持部  １３３：第２のコード保持部  １３４：コード中間部分収容溝  １３５：コード束用横溝  １３６：コード束用縦溝  １３７：操作用突出部  １３８：クランク状溝  １３８ａ：クランク状溝の第１の溝部分  １３８ｂ：クランク状溝の第２の溝部分  １３８ｃ：クランク状溝の第３の溝部分  １３９：空隙部  ２１０：ケース部材  ２１１：筒状体  ２１２：切り欠き  ２１４：開口  ２１６：開口  ２１８：突起部  ２３０：芯部材  ２３１：芯状体  ２３２：第１のコード保持部  ２３２ａ：中間壁  ２３３：第２のコード保持部  ２３３ａ：膨大頭部  ２３４：コード中間部分収容溝  ２３５：コード束用横溝  ２３６：コード束用縦溝  ２３８：クランク状溝  ２３８ａ：クランク状溝の第１の溝部分  ２３８ｂ：クランク状溝の第２の溝部分  ２３８ｃ：クランク状溝の第３の溝部分  ３１０：ケース部材  ３１１：筒状体  ３１２：切り欠き  ３１４：開口  ３３０：芯部材  ３３１：芯状体  ３３２：第１のコード保持部  ３３３：第２のコード保持部  ３３３ａ：膨大頭部  ３３４：コード中間部分収容溝  ３３５：コード束用横溝  ３３６：コード束用縦溝  ４１０：ケース部材  ４１１：筒状体  ４１２：切り欠き  ４１４：開口  ４１６：開口  ４１７：環状突条  ４３０：芯部材  ４３１：芯状体  ４３２：第１のコード保持部  ４３２ａ：中間壁  ４３３：第２のコード保持部  ４３３ａ：大径部分  ４３４：コード中間部分収容溝  ４３５：コード束用横溝  ４３６：コード束用縦溝  ５１０：ケース部材  ５１１：筒状体  ５１２：切り欠き  ５１３：スリット  ５１４：開口  ５１５：突出部  ５３０：芯部材  ５３１：芯状体  ５３２：第１のコード保持部  ５３２ａ：中間壁  ５３３：第２のコード保持部  ５３４：コード中間部分収容溝  ５３５：コード束用横溝  ５３６：コード束用縦溝  ５３７：操作用突出部  ５３７ａ：基部  ５３７ｂ：柱状部  ５３７ｃ：空隙  ５３８：クランク状スリット  ５３８ａ：スリット部分  ５３８ｂ：スリット部分  ５３８ｃ：スリット部分  ５３９：空隙  ６１０：ケース部材  ６１１：筒状体  ６１２：切り欠き  ６１４：開口  ６１８：突起部  ６３０：芯部材  ６３０ａ：芯部材  ６３１：芯状体  ６３２：第１のコード保持部  ６３３：第２のコード保持部  ６３４：コード中間部分収容溝  ６３４ａ：中間壁  ６３４ｂ：延出部  ６３５：コード束用横溝  ６３６：コード束用縦溝  ６３８：スライド溝  ６３８ｂ：溝部分  ６３８ｃ：溝部分